(57)【要約】【課題】食品を載せたまま簡単な操作で上下に移動する棚を使用し、棚を下に移動させた場合でも、棚より下の収納空間が狭くならない使い勝手のよい冷蔵庫を提供することを目的とする。【解決手段】前面が開口した断熱箱体１の内部に冷蔵室２を有する冷蔵庫において、冷蔵室２に設けられ、移動できない水平な壁面との間に収納空間を形成する上下移動棚１０と、この上下移動棚１０の上方又は下方に隣接して、移動できない水平な壁面の反対側に設けられ、前後に伸縮する前後伸縮棚１０とを備えたことを特徴とする。【選択図】図１
2008039292.tif 000002
【特許請求の範囲】
【請求項１】
前面が開口した断熱箱体の内部に貯蔵室を有する冷蔵庫において、
前記貯蔵室に設けられ、移動できない水平な壁面との間に収納空間を形成する上下移動棚と、
この上下移動棚の上方又は下方に隣接して、前記移動できない水平な壁面の反対側に設けられ、前後に伸縮する前後伸縮棚又は前後に伸縮するとともに回動自在な前後伸縮・回動棚とを備えたことを特徴とする冷蔵庫。
【請求項２】
前記貯蔵室に、該貯蔵室上部の前記移動できない水平な壁面との間に収納空間を形成する前記上下移動棚と、該貯蔵室下部の別の前記移動できない水平な壁面との間に収納空間を形成する前記上下移動棚とを有し、これらの上下移動棚の間に、前記前後伸縮棚又は前後伸縮・回動棚を設けたことを特徴とする請求項１記載の冷蔵庫。
【発明の詳細な説明】
【技術分野】
【０００１】
この発明は、一般家庭用の冷蔵庫に関するもので、庫内に収納する食品の大きさに合わせて、棚を外すことなく、棚の位置を調節できる棚装置を備えた冷蔵庫に関するものである。
【背景技術】
【０００２】
従来、冷蔵庫においては、庫内に入れる食品や容器の大きさに合わせて上下の位置を調節できる棚装置の要求があり、食品の負荷量の違いに関係なく食品が載置されたままでも小さな力で無理なくしかも片手で棚位置調整ができるようにした棚装置として、冷蔵庫内に配設された棚等を載置するフレームと、フレーム内に設けられたタイミングベルトと、タイミングベルトに設けられたレバーと、レバーの移動により回動するタイミングベルトに連動してフレームを上下方向又は左右方向に移動させる手段を有した棚装置が提案されている（例えば、特許文献１参照）。
【特許文献１】特開２００１−３４３１８６号公報
【発明の開示】
【発明が解決しようとする課題】
【０００３】
従来の上下の位置を調節できる棚装置は、例えば、棚を下に移動させる場合は、棚より上の収納空間の高さは高くできるが、棚より下の収納空間の高さは低くなり、ここには小さい食品又は容器しか収納できないという課題があった。
【０００４】
この発明は、上記のような課題を解決するためになされたもので、食品を載せたまま簡単な操作で上下に移動する棚を使用し、棚を下に移動させた場合でも、棚より下の収納空間が狭くならない使い勝手のよい冷蔵庫を提供することを目的とする。
【課題を解決するための手段】
【０００５】
この発明に係る冷蔵庫は、前面が開口した断熱箱体の内部に貯蔵室を有する冷蔵庫において、貯蔵室に設けられ、移動できない水平な壁面との間に収納空間を形成する上下移動棚と、この上下移動棚の上方又は下方に隣接して、移動できない水平な壁面の反対側に設けられ、前後に伸縮する前後伸縮棚又は前後に伸縮するとともに回動自在な前後伸縮・回動棚とを備えたことを特徴とする。
【発明の効果】
【０００６】
この発明に係る冷蔵庫は、上記構成により、上下移動棚を移動させた場合でも、上下移動棚の反移動側の収納空間が、前後伸縮棚又は前後伸縮・回動棚により狭くならないので、使い勝手がよい。
【発明を実施するための最良の形態】
【０００７】
実施の形態１．
図１乃至図６は実施の形態１を示す図で、図１は扉を外した状態の冷蔵庫の正面図、図２は冷蔵室２付近の側面断面図、図３は上下移動棚１０の構成図、図４は前後伸縮棚２０の斜視図、図５は上下移動棚１０を移動させた状態の冷蔵室２付近の側面断面図、図６は上下移動棚１０を移動させ、前後伸縮棚２０を後退させた状態の冷蔵室２付近の側面断面図である。
【０００８】
図１に扉を外した状態の冷蔵庫の一例を示す。断熱箱体１は、鋼板製の外箱と、樹脂製の内箱との間に断熱材を充填して製作される。この断熱箱体１は、前面が開口すると共に、内部が仕切り部材により複数の室に、上下又は左右に区画されている。この仕切り部材により区画された各室は、その前面開口部が扉によって、開閉される。
【０００９】
図１の冷蔵庫では、断熱箱体１の内部は、最上段が冷蔵室２（貯蔵室の一例）、その下段が氷室３及び切り替え室４、それらの下段が、野菜室５、最下段が冷凍室６になっている。
【００１０】
本実施の形態１は、冷蔵室２において上下方向に配置される棚に特徴がある。冷蔵室２は、最下部にチルド室２ａが設けられる。従って、冷蔵室２の棚が配置される空間は、断熱箱体天井壁１ａ（移動できない水平な壁面の一例）と、チルド室天井壁２ｂ（移動できない水平な壁面の一例）との間の空間である。
【００１１】
断熱箱体天井壁１ａとチルド室天井壁２ｂとの間の空間に、上から上下移動棚１０、前後伸縮棚２０、上下移動棚１０を配置している。従って、前後伸縮棚２０は、上下移動棚１０の上方又は下方に隣接して、移動できない水平な壁面の反対側に設けられる。
【００１２】
図２は、図１に示す冷蔵庫の冷蔵室２付近を側面から見た断面図である。断熱箱体１の前面開口部には、前面開口部を開閉する冷蔵室扉２ｃが設けられる。チルド室２ａのチルド室天井壁２ｂは、断熱箱体天井壁１ａとともに、移動できない水平な壁面の一例である。
【００１３】
上下移動棚１０、前後伸縮棚２０がともに通常の位置の場合は、断熱箱体天井壁１ａとそれに隣接する上下移動棚１０との距離、その上下移動棚１０と前後伸縮棚２０との距離、前後伸縮棚２０とその下の上下移動棚１０との距離、その上下移動棚１０とチルド室天井壁２ｂとの距離は、夫々約１２４ｍｍである。この距離は、３５０ｍｌ缶を収納するのに適する。
【００１４】
次に、上下移動棚１０の構成について図３を参照しながら簡単に説明する。上下移動棚１０は、特許文献１等で公知のものと同じ構造である。上下移動棚１０は、例えば、中空形状を成すトレイ１０ａ（棚）載置用のフレーム１１と、その中空部を利用して外縁状に這わせたタイミングベルト１２を配備し、フレーム１１に沿って移動するレバー１３とタイミングベルト１２を連結固定させ、タイミングベルト１２が回動すると共にタイミングベルト１２の回動線上に設置したネジ切り穴を有しスクリュー形軸１４の回転により上下移動する移動板２６と歯車を具備するスクリュー形軸１４とをタイミングベルト１２で連動させ、移動板２６を冷蔵室内壁面１ｂに固定することでフレーム１１を上下移動させる。フレーム１１の移動距離は、例えば、約４１ｍｍである。
【００１５】
さらに、前後伸縮棚２０の構成について図４を参照しながら簡単に説明する。この前後伸縮棚２０も公知のものである。前後伸縮棚２０は、前棚２１と、後棚２２とを有し、前棚２１が伸縮する。図４は、前棚２１が前方に引っ張り出されている形態を示す。
【００１６】
図５、図６により、上下移動棚１０、前後伸縮棚２０の状態を変化させる場合について説明する。断熱箱体天井壁１ａとそれに隣接する上下移動棚１０との間の収納空間、上下移動棚１０とチルド室天井壁２ｂとの間の収納空間に、例えば５００ｍｌ缶を縦に収納したい場合、上の上下移動棚１０を約４１ｍｍ下に下げる。また、下の上下移動棚１０を約４１ｍｍ上に上げる。それにより、両収納空間に５００ｍｌ缶を縦に収納することができる。この状態が、図５である。
【００１７】
この時、上下の上下移動棚１０と前後伸縮棚２０との間は狭くなるが、図６に示すように、前後伸縮棚２０の前棚２１を後退させることにより、上下の上下移動棚１０の間は、５００ｍｌ缶を縦に収納するのに適する距離となる。前後伸縮棚２０の後棚２２の上下には、背の低い食品を収納する。
【００１８】
本実施の形態１によれば、背の高い食品を収納するために、上下の上下移動棚１０を移動させた場合、上下移動棚１０と前後伸縮棚２０との間が狭くなるが、前後伸縮棚２０の前棚２１が後退させることにより、上下の上下移動棚１０の間に背の高い食品（例えば、５００ｍｌ缶）を収納できる。
【００１９】
実施の形態２．
図７乃至図１１は実施の形態２を示す図で、図７は扉を外した状態の冷蔵庫の正面図、図８は冷蔵室２付近の側面断面図、図９は前後伸縮・回動棚３０の斜視図、図１０は上下移動棚１０を移動させた状態の冷蔵室２付近の側面断面図、図１１は上下移動棚１０を移動させ、前後伸縮・回動棚３０を後退格納させた状態の冷蔵室２付近の側面断面図である。
【００２０】
図７において、図１と異なる点のみを説明する。図１では、上下移動棚１０の間に前後伸縮棚２０を使用したが、図７では前後伸縮棚２０に代えて前後伸縮・回動棚３０を使用している。
【００２１】
図８においても、図２と異なる点は、前後伸縮棚２０に代えて前後伸縮・回動棚３０を使用している点だけである。
【００２２】
図９により、前後伸縮・回動棚３０の構成を簡単に説明する。前後伸縮・回動棚３０は公知である（例えば、特開平７−２１８１１６号公報）。前後伸縮・回動棚３０は、前棚２１と、後棚２２とを有し、前棚２１が伸縮する。さらに、後棚２２の左右端部に回転軸２５を有する。
【００２３】
図１０、図１１により、上下移動棚１０、前後伸縮・回動棚３０の状態を変化させる場合について説明する。断熱箱体天井壁１ａとそれに隣接する上下移動棚１０との間の収納空間、上下移動棚１０とチルド室天井壁２ｂとの間の収納空間に、例えば５００ｍｌ缶を縦に収納したい場合、上の上下移動棚１０を約４１ｍｍ下に下げる。また、下の上下移動棚１０を約４１ｍｍ上に上げる。それにより、両収納空間に５００ｍｌ缶を縦に収納することができる。また、上下移動棚１０とチルド室天井壁２ｂとの間の収納空間には、鍋５０（一般的な高さは、約１６５ｍｍ）も収納している。この状態が、図１０である。
【００２４】
この時、上下の上下移動棚１０と前後伸縮・回動棚３０との間は狭くなるが、図１１に示すように、前後伸縮・回動棚３０の前棚２１を後退させるとともに回転軸２５により回動させることにより、上下の上下移動棚１０の間は、冷蔵室２の奥まで、５００ｍｌ缶を縦に収納するのに適する距離となる。
【００２５】
本実施の形態２によれば、背の高い食品を収納するために、上下の上下移動棚１０を移動させた場合、上下移動棚１０と前後伸縮・回動棚３０との間が狭くなるが、前後伸縮・回動棚３０の前棚２１を後退させるとともに回転軸２５により回動させて格納することにより、上下の上下移動棚１０の間に冷蔵室２の奥まで背の高い食品（例えば、５００ｍｌ缶）を収納できる。
【００２６】
実施の形態３．
図１２乃至図１４は実施の形態３を示す図で、図１２は冷蔵室２付近の側面断面図、図１３は上下移動棚１０を移動させた状態の冷蔵室２付近の側面断面図、図１４は上下移動棚１０を移動させ、前後伸縮棚２０を後退させた状態の冷蔵室２付近の側面断面図である。
【００２７】
図１２に示すように、冷蔵室２には、上部の上下移動棚１０がなく、チルド室天井壁２ｂの上に上下移動棚１０を１個備える。そして、断熱箱体天井壁１ａと、上下移動棚１０との間に前後伸縮棚２０を備える。他の構成は、図１のものと同一である。
【００２８】
上下移動棚１０、前後伸縮棚２０がともに通常の位置の場合は、断熱箱体天井壁１ａとそれに隣接する前後伸縮棚２０との距離、前後伸縮棚２０とその下の上下移動棚１０との距離、その上下移動棚１０とチルド室天井壁２ｂとの距離は、夫々約１２４ｍｍである。この距離は、３５０ｍｌ缶を収納するのに適する。
【００２９】
図１３、図１４により、上下移動棚１０、前後伸縮棚２０の状態を変化させる場合について説明する。上下移動棚１０とチルド室天井壁２ｂとの間の収納空間に、例えば５００ｍｌ缶を縦に収納したい場合、上下移動棚１０を約４１ｍｍ上に上げる。それにより、上下移動棚１０とチルド室天井壁２ｂとの間の収納空間に５００ｍｌ缶を縦に収納することができる。この状態が、図１３である。
【００３０】
この時、上下移動棚１０と前後伸縮棚２０との間は狭くなるが、図１４に示すように、前後伸縮棚２０の前棚２１を後退させることにより、断熱箱体天井壁１ａと上下移動棚１０との間は、５００ｍｌ缶を縦に収納するのに十分な距離となる。前後伸縮棚２０の後棚２２の上下には、背の低い食品を収納する。
【００３１】
本実施の形態３によれば、背の高い食品を収納するために、上下移動棚１０を移動させた場合、上下移動棚１０と前後伸縮棚２０との間が狭くなるが、前後伸縮棚２０の前棚２１が後退させることにより、断熱箱体天井壁１ａと上下移動棚１０の間に背の高い食品（例えば、５００ｍｌ缶）を収納できる。
【００３２】
実施の形態４．
図１５乃至図１７は実施の形態４を示す図で、図１５は冷蔵室２付近の側面断面図、図１６は上下移動棚１０を移動させた状態の冷蔵室２付近の側面断面図、図１７は上下移動棚１０を移動させ、前後伸縮・回動棚３０を後退格納させた状態の冷蔵室２付近の側面断面図である。
【００３３】
図１５に示すように、冷蔵室２には、上部の上下移動棚１０がなく、チルド室天井壁２ｂの上に上下移動棚１０を１個備える。そして、断熱箱体天井壁１ａと、上下移動棚１０との間に前後伸縮・回動棚３０を備える。他の構成は、図１２のものと同一である。
【００３４】
上下移動棚１０、前後伸縮・回動棚３０がともに通常の位置の場合は、断熱箱体天井壁１ａとそれに隣接する前後伸縮・回動棚３０との距離、前後伸縮・回動棚３０とその下の上下移動棚１０との距離、その上下移動棚１０とチルド室天井壁２ｂとの距離は、夫々約１２４ｍｍである。この距離は、３５０ｍｌ缶を収納するのに適する。
【００３５】
図１６、図１７により、上下移動棚１０、前後伸縮・回動棚３０の状態を変化させる場合について説明する。上下移動棚１０とチルド室天井壁２ｂとの間の収納空間に、例えば５００ｍｌ缶を縦に収納したい場合、上下移動棚１０を約４１ｍｍ上に上げる。それにより、上下移動棚１０とチルド室天井壁２ｂとの間の収納空間に５００ｍｌ缶や鍋５０（一般的な高さは、約１６５ｍｍ）を縦に収納することができる。この状態が、図１６である。
【００３６】
この時、上下移動棚１０と前後伸縮・回動棚３０との間は狭くなるが、図１７に示すように、前後伸縮・回動棚３０の前棚２１を後退させるとともに回転軸２５により回動させて格納することにより、断熱箱体天井壁１ａと上下移動棚１０との間は、冷蔵室２の奥まで５００ｍｌ缶を縦に収納するのに十分な距離となる。
【００３７】
本実施の形態４によれば、背の高い食品を収納するために、上下移動棚１０を移動させた場合、上下移動棚１０と前後伸縮・回動棚３０との間が狭くなるが、前後伸縮・回動棚３０の前棚２１を後退させるとともに回転軸２５により回動させて格納することにより、断熱箱体天井壁１ａと上下移動棚１０の間に背の高い食品（例えば、５００ｍｌ缶）を冷蔵室２の奥まで収納できる。
【図面の簡単な説明】
【００３８】
【図１】実施の形態１を示す図で、扉を外した状態の冷蔵庫の正面図である。
【図２】実施の形態１を示す図で、冷蔵室２付近の側面断面図である。
【図３】実施の形態１を示す図で、上下移動棚１０の構成図である。
【図４】実施の形態１を示す図で、前後伸縮棚２０の斜視図である。
【図５】実施の形態１を示す図で、上下移動棚１０を移動させた状態の冷蔵室２付近の側面断面図である。
【図６】実施の形態１を示す図で、上下移動棚１０を移動させ、前後伸縮棚２０を後退させた状態の冷蔵室２付近の側面断面図である。
【図７】実施の形態２を示す図で、扉を外した状態の冷蔵庫の正面図である。
【図８】実施の形態２を示す図で、冷蔵室２付近の側面断面図である。
【図９】実施の形態２を示す図で、前後伸縮・回動棚３０の斜視図である。
【図１０】実施の形態２を示す図で、上下移動棚１０を移動させた状態の冷蔵室２付近の側面断面図である。
【図１１】実施の形態２を示す図で、上下移動棚１０を移動させ、前後伸縮・回動棚３０を後退格納させた状態の冷蔵室２付近の側面断面図である。
【図１２】実施の形態３を示す図で、冷蔵室２付近の側面断面図である。
【図１３】実施の形態３を示す図で、上下移動棚１０を移動させた状態の冷蔵室２付近の側面断面図である。
【図１４】実施の形態３を示す図で、上下移動棚１０を移動させ、前後伸縮棚２０を後退させた状態の冷蔵室２付近の側面断面図である。
【図１５】実施の形態４を示す図で、冷蔵室２付近の側面断面図である。
【図１６】実施の形態４を示す図で、上下移動棚１０を移動させた状態の冷蔵室２付近の側面断面図である。
【図１７】実施の形態４を示す図で、上下移動棚１０を移動させ、前後伸縮・回動棚３０を後退格納させた状態の冷蔵室２付近の側面断面図である。
【符号の説明】
【００３９】
１  断熱箱体、１ａ  断熱箱体天井壁、１ｂ  冷蔵室内壁面、２  冷蔵室、２ａ  チルド室、２ｂ  チルド室天井壁、２ｃ  冷蔵室扉、３  氷室、４  切り替え室、５  野菜室、６  冷凍室、１０  上下移動棚、１０ａ  トレイ、１１  フレーム、１２  タイミングベルト、１３  レバー、１４  スクリュー形軸、２０  前後伸縮棚、２５  回転軸、２６  移動板、２１  前棚、２２  後棚、３０  前後伸縮・回動棚、４０  ５００ｍｌ缶、５０  鍋。
【図１】
2008039292.tif 000003
【図２】
2008039292.tif 000004
【図３】
2008039292.tif 000005
【図４】
2008039292.tif 000006
【図５】
2008039292.tif 000007
【図６】
2008039292.tif 000008
【図７】
2008039292.tif 000009
【図８】
2008039292.tif 000010
【図９】
2008039292.tif 000011
【図１０】
2008039292.tif 000012
【図１１】
2008039292.tif 000013
【図１２】
2008039292.tif 000014
【図１３】
2008039292.tif 000015
【図１４】
2008039292.tif 000016
【図１５】
2008039292.tif 000017
【図１６】
2008039292.tif 000018
【図１７】
2008039292.tif 000019